(57)【要約】【課題】選手がスカウトに対し自らを売り込むことが容易であり、かつスカウトが所望の選手を見つけ出すことが容易となるスカウトシステムを提供する。【解決手段】選手データ管理サーバ12は、選手端末13から、選手の基本的な個人情報に関連する基本データ、選手の日常生活に関連する日常生活データおよび選手が過去に出場した試合に関連する試合データからなる群より選択される少なくとも1つのデータを取得して選手データベース101に記憶させる選手データ取得部102と、スカウト端末14から所定の条件に合致する選手を検索するための検索要求を受け付けて、当該検索要求にしたがって選手データベース101に記憶されているデータから検索データを作成し、スカウト端末14に送信する検索データ作成部105とを備えている。【選択図】図１
2013182541.tif 000002
【特許請求の範囲】
【請求項１】
選手データ管理サーバと、選手が使用する選手端末と、スカウトが使用するスカウト端末とが、互いにネットワークを介して接続されたスカウトシステムであって、
前記選手データ管理サーバは、
前記選手端末から、前記選手の基本的な個人情報に関連する基本データ、前記選手の日常生活に関連する日常生活データおよび前記選手が過去に出場した試合に関連する試合データからなる群より選択される少なくとも1つのデータを取得して選手データベースに記憶させる選手データ取得手段と、
前記スカウト端末から所定の条件に合致する選手を検索するための検索要求を受け付けて、当該検索要求にしたがって前記選手データベースに記憶されているデータから検索データを作成し、前記スカウト端末に送信する検索データ作成手段と、
を備えていることを特徴とするスカウトシステム。
【請求項２】
前記選手データ管理サーバが、前記選手データベースに記憶されている前記選手のデータに基づいて前記選手を支援するための支援データを作成し、前記選手端末に送信する支援データ作成手段をさらに備える、請求項1に記載のスカウトシステム。
【請求項３】
前記選手データ管理サーバが、前記選手データベースに記憶されている複数のデータを統合した統合データを作成し、前記選手データベースに記憶させる統合データ作成手段をさらに備える、請求項1または2に記載のスカウトシステム。
【請求項４】
前記選手データ管理サーバが、前記スカウト端末から所定の選手に対するフィードバックを示すフィードバックデータを取得して前記選手データベースに記憶させるフィードバックデータ取得手段をさらに備える、請求項1〜3のいずれか1項に記載のスカウトシステム。
【請求項５】
前記選手データ管理サーバが、
ファンが使用するファン端末とネットワークを介して接続されており、かつ、
前記ファン端末から所定の選手についての閲覧要求を受け付けたときに、前記選手データベースに記憶されている当該選手のデータから閲覧データを作成し、前記ファン端末に送信する閲覧データ作成手段をさらに備える、請求項1〜4のいずれか1項に記載のスカウトシステム。
【請求項６】
コンピュータを、
選手が使用する選手端末から、前記選手の基本的な個人情報に関連する基本データ、前記選手の日常生活に関連する日常生活データおよび前記選手が過去に出場した試合に関連する試合データからなる群より選択される少なくとも1つのデータを取得して選手データベースに記憶させる選手データ取得手段と、
スカウトが使用するスカウト端末から所定の条件に合致する選手を検索するための検索要求を受け付けて、当該検索要求にしたがって前記選手データベースに記憶されているデータから検索データを作成し、前記スカウト端末に送信する検索データ作成手段として機能させるためのプログラム。
【請求項７】
請求項6に記載のプログラムが記録されたコンピュータ読み取り可能な記録媒体。
【発明の詳細な説明】
【技術分野】
【０００１】
本発明は、選手をスカウトするためのスカウトシステムおよびプログラムに関する。
【背景技術】
【０００２】
現在、各種スポーツ分野において、多くの日本人選手が世界で活躍し、注目を浴びている。また、幾人もの選手が世界のクラブチームに所属して活躍し、高い評価を受けている。
【０００３】
たとえばサッカーでは、2011年に男子日本代表がワールドカップでベスト16入りし、女子日本代表（なでしこジャパン）がワールドカップで優勝したうえ、複数の選手が世界のビッククラブで活躍して高い評価と注目を受けている。近年、欧米、南米・北中米、アジア等の海外リーグに所属する選手が増えており、さらに世界のクラブチームからの日本人選手の獲得の動きが加速している。
【０００４】
しかしながら現状では、日本人選手が世界のクラブチームに移籍するチャンスが多いとはいえない。選手が独自に世界の有名なクラブチームに自らを売り込むことは非常に困難である。また、クラブチームのスカウトが膨大な数の選手から所望の能力、コンディションを備えた選手を見つけ出すこともまた困難である。
【０００５】
ところで、特許文献1には、求人，求職支援システムが記載されている。このシステムは、求人，求職の支援サイトを開設して、該サイトにより求人，求職を支援する求人，求職支援部と、開設された求人，求職支援サイトに求人希望のアクセスを行う求人アクセス部と、開設された求人，求職支援サイトに求職希望のアクセスを行う求職アクセス部とを備えている。
【先行技術文献】
【特許文献】
【０００６】
【特許文献１】特開2002-351967号公報
【発明の概要】
【発明が解決しようとする課題】
【０００７】
しかし、特許文献1に記載されたシステムは、求人を希望する企業による人材の確保および求職者による求職活動を支援するためのシステムであり、選手に世界で活躍するチャンスを与えるものではない。上述したように、選手が世界のクラブチーム等に自らを売り込むことは非常に困難であり、またスカウトが膨大な数の選手の中から所望の選手を見つけ出すこともまた困難であるため、選手およびスカウトのこのような負担を軽減させることができるシステムが望まれる。
【０００８】
本発明は、上述した問題に鑑みてなされたものであり、その目的は、選手がスカウトに対し自らを売り込むことが容易であり、かつスカウトが所望の選手を見つけ出すことが容易となるスカウトシステムを提供することにある。
【課題を解決するための手段】
【０００９】
上記の課題を解決するために、本発明は、選手データ管理サーバと、選手が使用する選手端末と、スカウトが使用するスカウト端末とが、互いにネットワークを介して接続されたスカウトシステムであって、前記選手データ管理サーバは、前記選手端末から、前記選手の基本的な個人情報に関連する基本データ、前記選手の日常生活に関連する日常生活データおよび前記選手が過去に出場した試合に関連する試合データからなる群より選択される少なくとも1つのデータを取得して選手データベースに記憶させる選手データ取得手段と、前記スカウト端末から所定の条件に合致する選手を検索するための検索要求を受け付けて、当該検索要求にしたがって前記選手データベースに記憶されているデータから検索データを作成し、前記スカウト端末に送信する検索データ作成手段とを備えているスカウトシステムを提供する。
【００１０】
また、本発明は、前記選手データ管理サーバが、前記選手データベースに記憶されている前記選手のデータに基づいて前記選手を支援するための支援データを作成し、前記選手端末に送信する支援データ作成手段をさらに備えているスカウトシステムを提供する。
【００１１】
また、本発明は、前記選手データ管理サーバが、前記選手データベースに記憶されている複数のデータを統合した統合データを作成し、前記選手データベースに記憶させる統合データ作成手段をさらに備えているスカウトシステムを提供する。
【００１２】
また、本発明は、前記選手データ管理サーバが、前記スカウト端末から所定の選手に対するフィードバックを示すフィードバックデータを取得して前記選手データベースに記憶させるフィードバックデータ取得手段をさらに備えているスカウトシステムを提供する。
【００１３】
また、本発明は、前記選手データ管理サーバが、ファンが使用するファン端末とネットワークを介して接続されており、かつ、前記ファン端末から所定の選手についての閲覧要求を受け付けたときに、前記選手データベースに記憶されている当該選手のデータから閲覧データを作成し、前記ファン端末に送信する閲覧データ作成手段をさらに備えているスカウトシステムを提供する。
【００１４】
また、本発明は、コンピュータを、選手が使用する選手端末から、前記選手の基本的な個人情報に関連する基本データ、前記選手の日常生活に関連する日常生活データおよび前記選手が過去に出場した試合に関連する試合データからなる群より選択される少なくとも1つのデータを取得して選手データベースに記憶させる選手データ取得手段と、スカウトが使用するスカウト端末から所定の条件に合致する選手を検索するための検索要求を受け付けて、当該検索要求にしたがって前記選手データベースに記憶されているデータから検索データを作成し、前記スカウト端末に送信する検索データ作成手段として機能させるためのプログラムを提供する。
【００１５】
また、本発明は、前記プログラムが記録されたコンピュータ読み取り可能な記録媒体を提供する。
【発明の効果】
【００１６】
本発明に係るスカウトシステムであれば、選手が選手データ管理サーバに送信した自身のデータが検索データとしてスカウト端末に送信されるので、選手は世界の有名なクラブチームやスカウトに対して簡単に自分をアピールすることができる。そのため、本発明は、日本人選手に限らず世界中の選手に、世界の有名なクラブチームやスカウトからのオファーの可能性を増加させることができる。
【００１７】
また、スカウトは、検索データを受信することにより、どこにどのような能力の選手がいるかを適格に知ることができ、所望の条件を備えた選手を簡単に見出すことができる。そのため、本発明を利用すれば、スカウトにとっても、世界中にいる能力のある原石を見つけ出す可能性が増え、また情報収集のための移動をせずに注目する選手の情報を簡単に入手することができる。
【００１８】
したがって、本発明であれば、選手がスカウトに対し自らを売り込むことが容易であり、かつスカウトが所望の選手を見つけ出すことが容易となるため、より多くの選手に世界で活躍するチャンスを与えることができる。
【図面の簡単な説明】
【００１９】
【図１】本発明に係るスカウトシステムの一実施形態の構成を示す。
【図２】選手データベースに記憶されるデータの項目例を示す。
【図３】選手データベースに記憶されるデータの項目例を示す。
【図４】選手データベースに記憶されるデータの項目例を示す。
【図５】選手データベースに記憶されるデータの項目例を示す。
【図６】選手データベースに記憶されるデータの項目例を示す。
【図７】選手データ管理サーバが選手端末の表示部に表示させる画面の一例を示す。
【発明を実施するための形態】
【００２０】
本発明に係るスカウトシステムの一実施形態の構成について、図1を参照して説明する。図1に示すスカウトシステム1は、スカウトが選手に関する種々のデータから所定の条件に合致する選手を見つけ出すためのシステムである。スカウトシステム1は、互いにネットワーク11を介して接続された選手データ管理サーバ12、選手端末13、スカウト端末14およびファン端末15により構成されている。ネットワーク11は、たとえばインターネット、専用回線などであり、有線であっても無線であってもよい。
【００２１】
選手データ管理サーバ12は、それぞれ複数の選手端末13、スカウト端末14およびファン端末15と接続されている。選手端末13、スカウト端末14およびファン端末15としては、たとえばパーソナルコンピュータ、携帯電話、スマートフォンなどの各種の端末機器が挙げられる。選手端末13、スカウト端末14およびファン端末15は、ネットワーク11を介して選手データ管理サーバ12との間でデータの送受信を行うことが可能になっている。
【００２２】
以下に、スカウトシステム1の各構成要素について詳細に説明する。
【００２３】
〔選手端末13〕
選手端末13は、選手が使用する端末であり、入力部111および表示部112を備えている。選手が入力部111に入力する自身に関するデータは、図示しない送信部によって選手データ管理サーバ12に送信される。また選手は、表示部112を介して、選手データ管理サーバ12から受信した支援データを閲覧することができる。
【００２４】
選手とは、スポーツ等のゲームに参加して競技する者、たとえばスポーツ選手等をさし、プロおよびアマチュアの選手を包含する。選手がスポーツ選手である場合、いかなるスポーツの選手であってもよく、たとえばサッカー選手などが挙げられる。
【００２５】
〔スカウト端末14〕
スカウト端末14は、スカウトが使用する端末であり、入力部121および表示部122を備えている。スカウトが入力部121に入力する検索要求またはフィードバックデータは、図示しない送信部によって選手データ管理サーバ12に送信される。またスカウトは、表示部122を介して、選手データ管理サーバ12から受信した検索データを閲覧することができる。
【００２６】
スカウトとは、所定の条件に合致する選手を見つけ出す者または組織をさす。スカウトは、たとえば所定の条件に合致する選手を探している特定の個人または組織であってもよいし、特定の個人または組織等から所定の条件に合致する選手を見つけ出すよう依頼を受けた個人または組織であってもよい。
【００２７】
〔ファン端末15〕
ファン端末15は、ファンが使用するファン端末であり、入力部131および表示部132を備えている。ファンは、表示部132を介して選手データ管理サーバ12から受信した閲覧データを閲覧することができる。また、ファンが入力部131に入力する選手に対するメッセージは、図示しない送信部によって選手データ管理サーバ12に送信される。
【００２８】
ファンとは、選手およびスカウト以外の立場で選手の情報を取得しようとする一般ユーザをさす。
【００２９】
〔選手データ管理サーバ12〕
選手データ管理サーバ12は、選手に関連する種々のデータを管理するサーバであり、選手データベース101、選手データ取得部102（選手データ取得手段）、統合データ作成部103（統合データ作成手段）、支援データ作成部104（支援データ作成手段）、検索データ作成部105（検索データ作成手段）、フィードバックデータ取得部106（フィードバックデータ取得手段）、閲覧データ作成部107（閲覧データ作成手段）、メッセージ取得部108（メッセージ取得手段）を備えている。
【００３０】
選手データベース101は、複数の選手について、各選手に固有のデータをそれぞれの選手のIDと関連付けて記憶している。選手データベース101に記憶されるデータは、主に基本データ、日常生活データ、試合データ、統合データ、メッセージデータ、フィジカルデータ、技術データおよびフィードバックデータなどであるが、これらに限定されない。選手データベース101は、これらのデータ以外に、選手によるPRコメントデータ、ファンに対するメッセージデータなどを記憶していてもよい。
【００３１】
なお、本実施形態では、選手データベース101が選手データ管理サーバ12の内部にある場合について説明するが、本発明はこれに限られず、選手データベースが選手データ管理サーバの外部に備えられていてもよい。
【００３２】
基本データ、日常生活データおよび試合データは、選手端末13から取得される。基本データは、選手の基本的な個人情報に関連するデータであり、通常は一定期間経過後に変化しない、選手に固有のデータである。たとえば選手の名前、年齢、生年月日、血液型、出生地、身長、体重、現在所属しているチーム、選手の画像、家族構成、経歴、連絡先（電話番号、住所、メールアドレス等）などを含む。
【００３３】
日常生活データは、選手の日常生活に関連するデータであり、毎日または一定期間ごとに更新され得るデータである。たとえば選手の食事内容、睡眠時間、トレーニング履歴、身体能力測定値などを含む。
【００３４】
試合データは、選手が過去に出場した試合に関連するデータであり、試合における種々の記録などを含む。たとえば、選手がサッカー選手であれば、試合走距離、パス回数、シュート回数、ゴール数、アシスト数、シュート決定率、プレー動画などである。
【００３５】
メッセージデータは、たとえばファンに対するメッセージなどを含む。また、フィジカルデータは、選手の身体能力についてのデータであり、たとえば10ｍ走、握力、垂直飛び、体脂肪率、反復横とび、長座体前屈、立ち幅跳びおよびロングキックなどのデータを含む。
フィードバックデータは、特定の選手のデータを閲覧したスカウトが当該選手に抱いた印象および当該選手に対するコメントなどのデータを含む。また、技術データは、ドリブル技術、キック、シュート精度、パス技術および判断力技術などに対してのデータを含む。
【００３６】
図2〜6は、選手データベースに記憶されるデータの項目例を示す。図2は、基本データの項目例を示す。図3は、日常生活データの項目例を示す。図4は、フィジカルデータの項目例を示す。図5は、試合データの項目例を示す。図6は、ファンに対するメッセージデータの項目例を示す。
【００３７】
選手データ取得部102は、選手端末13から基本データ、日常生活データ、試合データなどの選手に関連するデータを取得して、当該選手のIDと関連付けて選手データベース101に記憶させる。
【００３８】
選手データ取得部102は、種々のデータとともに選手のIDおよびパスワードを選手端末13から取得し、これらのIDおよびパスワードを、図示しない記憶部に予め関連付けられて記憶されている選手のIDおよびパスワードと照合し、合致した場合にのみデータを選手データベース101に記憶させてもよい。
【００３９】
選手データベース101において、各データは、スカウトに公開されることを示す公開情報またはスカウトに非公開であることを示す非公開情報と関連付けられる。この関連付けは、図示しない記憶部に予め記憶されている条件にしたがって行われてもよいし、選手による選手端末13からの指示にしたがって行われてもよい。
【００４０】
統合データ作成部103は、選手データベース101に記憶されている、1つの選手のIDに関連付けられている複数のデータを統合して統合データを作成する。統合データ作成部103は、作成した統合データを、当該選手のIDに関連付けて選手データベース101に記憶させる。
【００４１】
統合データ作成部103は、どのようなタイミングで統合データを作成してもよいが、たとえば選手データベースにデータが追加されたとき、または選手データベース内のデータが更新されたときに統合データを作成してもよい。
【００４２】
統合データとしては、たとえばデータをグラフ化したもの、一定期間における測定値の平均値などが挙げられる。統合データの具体例としては、たとえば、一定期間におけるパフォーマンス、食事データ、身体能力測定値、試合の記録などの変化を表すグラフ、これらの値の平均値、性格分析データをグラフ化したものなどが挙げられる。
【００４３】
このような統合データを支援データとして閲覧することによって、選手は自分のコンディションを適格に把握することができる。また、スカウトは、このような統合データを検索データとして閲覧することによって、各選手のコンディションを適格に把握することができる。選手のコンディションとは、たとえばシーズンを通して安定したパフォーマンスを発揮できているか、適切な食事摂取ができているか、選手のポテンシャルはどのくらいかなどである。また、スカウトは、試合の記録の変化を示すグラフ、性格分析データのグラフなどの統合データを検索データとして閲覧することによって、選手が求めている条件に合致しているかを容易に判断することができる。
【００４４】
支援データ作成部104は、特定の選手について、選手データベース101に記憶されている当該選手のIDと関連付けられているデータ（基本データ、日常生活データ、試合データ、統合データ、フィードバックデータ、メッセージデータなど）に基づいて支援データを作成し、当該選手の選手端末13に送信する。支援データ作成部104は、図示しない記憶部に予め記憶されているプログラムにしたがって支援データを作成してもよい。
【００４５】
支援データは、選手を支援するためのデータであり、選手のコンディションを改善するための種々のデータであってもよい。支援データは、表示部112に表示され、選手は、表示部112を介して支援データを見ることにより、自分のコンディションを改善する方法を適格に知ることができる。そのため、選手は、自己のコンディションを適切に管理しかつ調整することができる。
【００４６】
支援データとしては、たとえば、管理栄養士による食事メニュー、フィジカルアドバイザーによる筋力アップのためのメニュー、メンタルトレーナーによるモチベーションアップおよびメンタル維持のためのアドバイス、言語講師による言語レッスンなどが挙げられる。これらのコンテンツは、図示しない記憶部に予め記憶されたものであってもよいし、それぞれの専門家が選手データベース101に記憶されている選手のデータに基づいて個別に作成したものであってもよい。
【００４７】
選手は、上述したような支援データを受け取ることによって、専門家のサポートを個別に受けることができ、自己のコンディションの管理および調整をより適切に行うことができる。また、選手端末13として携帯電話またはスマートフォンなどを使用することにより、いつでもどこでも手軽に専門家によるサポートを受けることができる。
【００４８】
支援データ作成部104は、どのようなタイミングで支援データを作成してもよいが、たとえば図示しない受信手段が選手端末13から支援データの作成を要求するための指示を受け付けたときに作成してもよい。
【００４９】
検索データ作成部105は、スカウト端末14から所定の条件に合致する選手を検索するための検索要求を受け付けたときに、当該検索要求にしたがって、選手データベース101に記憶されているデータから検索データを作成する。検索データ作成部105は、作成した検索データをスカウト端末14に送信する。検索要求は、所定の条件に合致する選手を検索するための情報を含む。
【００５０】
検索データは、たとえば、所定の条件に合致する選手のリストおよび各選手のデータをスカウト端末14の表示部122に表示させるための情報であってもよい。
【００５１】
なお、検索データ作成部105は、選手データベース101に記憶されているデータのうち、公開情報と関連付けられているデータを用いて検索データを作成し、非公開情報と関連付けられているデータは用いない。これにより、選手に関する特定の情報のみをスカウトに対し公開し、選手のプライベート情報などを非公開にすることができる。
【００５２】
検索データ作成部105は、検索要求とともにスカウトのIDおよびパスワードをスカウト端末14から取得し、これらのIDおよびパスワードを、図示しない記憶部に予め関連付けられて記憶されているスカウトのIDおよびパスワードと照合し、合致した場合にのみ検索データを作成してもよい。
【００５３】
フィードバックデータ取得部106は、スカウト端末14から特定の選手に対するフィードバックに関するフィードバックデータを取得して、当該選手のIDと関連付けて選手データベース101に記憶させる。フィードバックとは、特定の選手のデータを閲覧したスカウトが当該選手に抱いた印象、当該選手に対するコメントなどである。選手は、選手端末13の表示部112を介して、フィードバックを支援データとして見ることができる。これにより、選手は、自身のデータに対するスカウト側の印象を知ることができ、たとえば自身の能力の不足原因などを明確に知ることができる。
【００５４】
選手データ管理サーバ12は、選手端末13の表示部112に所定の画面を表示させる手段を備えている。図6および図7は、選手データ管理サーバ12が選手端末13の表示部112に表示させる画面の一例を示す。
【００５５】
選手データ管理サーバ12は、選手端末13の表示部112に、選手に関するデータ、たとえば統合データを含む画面を表示させてもよい。たとえば、図6に示す画面には、選手の数日間のコンディション変化を表すグラフ（統合データ）が表示されている。これにより選手は、自己のコンディションを客観的に明確に把握することができ、コンディションの管理および調整が容易となる。
【００５６】
また、選手データ管理サーバ12は、選手端末13の表示部112に、選手に関するデータの入力を促す文章等を含む画面を表示させてもよい。たとえば、図6に示す画面には、選手のその日のコンディション（ここでは、選手の疲労感、体のキレおよび睡眠）を5段階評価で入力するように促す文章および入力ボタンが表示されている。選手は、この画面から、入力部111を介して自身のコンディションの自己評価を入力することができる。入力されたデータは、図示しない送信部によって選手データ管理サーバ12に送信され、選手データ取得部102により選手データベース101に選手のデータとして記憶される。
【００５７】
図6に示すような画面が毎日表示部112に表示されることによって、選手はデータ入力を毎日忘れずに行うことができる。これにより、選手データベース101のデータが毎日更新されれば、スカウトは、最新のデータに基づいて選手を検索することができる。
【００５８】
また、選手データ管理サーバ12は、選手端末13の表示部112に、選手の日記を入力するよう促す画面を表示させてもよい。たとえば、図7に示す画面には、選手のコメント（目標、試合内容、試合前の心境コメント、試合後の反省点など）を入力するよう促す文章、入力欄および入力ボタンが表示されている。選手は、この画面から、入力部111を介して自身のコメントを入力することができる。入力されたコメントは、図示しない送信部によって選手データ管理サーバ12に送信され、選手データ取得部102により選手データベース101に選手のデータとして記憶される。
【００５９】
図7に示すような画面が表示部112に表示されることにより、選手は、自身のコメントとして目標、試合内容、試合前の心境コメント、試合後の反省点などを記入し、自身のデータとして選手データ管理サーバ12に送信することができる。入力したコメントは、支援データとして表示部112を介して見ることができる。これにより、選手は、自身の選手としての明確な目標を再確認したり、試合での反省点とそれからの改善点とを振り返ったりすることができる。
【００６０】
選手データ管理サーバ12はまた、スカウト端末14からの要求を受け付けて、スカウトに特定の選手を紹介するコーディネート手段を備えていてもよい。コーディネート手段は、スカウト端末14からの要求に基づき、たとえばスカウトが所望する選手の連絡先に関する情報をスカウト端末14に送信してもよい。また、コーディネート手段は、たとえばスカウトが所望する選手に対して、電話や電子メールなどによって直接選手に連絡してもよい。また、コーディネート手段は、スカウト端末14からの要求に基づき、スカウトが試合視察や選手との面会のスケジュールを設定できるように、選手のスケジュールをスカウト端末14に送信してもよい。
【００６１】
閲覧データ作成部107は、ファン端末15から所定の選手についての閲覧要求を受け付けたときに、選手データベース101に記憶されている当該選手のIDに関連付けられたデータから閲覧データを作成し、ファン端末15に送信する。閲覧データは、ファン端末15の表示部132に表示される。閲覧データには、たとえば選手からファンへのメッセージ、日々の活動、試合情報などが含まれる。
【００６２】
選手データベース101に記憶されているデータは、ファンに対して公開可であることを示すファン公開情報または非公開であることを示すファン非公開情報のいずれかと関連付けられている。このような関連付けは、図示しない記憶部に予め記憶されている条件にしたがって行われてもよいし、選手による選手端末13からの指示にしたがって行われてもよい。
【００６３】
閲覧データ作成部107は、選手データベース101に記憶されているデータのうち、ファン公開情報と関連付けられているデータを用いて閲覧データを作成し、ファン非公開情報と関連付けられているデータは用いない。これにより、選手に関する特定の情報のみをファンに対し公開することができる。
【００６４】
ファンは、表示部132を介して閲覧データを閲覧することにより、注目している選手からのメッセージを受け取ることができ、また試合情報などの様々な情報を手軽に入手することができる。
【００６５】
なお、選手データ管理サーバ12は、ファン端末15から試合のチケットを購入するための要求を受け付けて、購入のサポートをする手段を備えていてもよい。
【００６６】
メッセージ取得部108は、ファン端末15から、ファンによる特定の選手に対するメッセージに関するメッセージデータを取得する。メッセージ取得部108は、取得したメッセージデータを選手データベース101に当該選手のIDと関連付けて記憶させる。選手データベース101に記憶されたメッセージデータは、支援データとして選手端末13に送信されてもよいし、図示しない送信手段によって、たとえば選手端末13からの要求に基づいて、選手端末13に送信されてもよい。
【００６７】
スカウトシステム1は、ハードウェア的に実現されてもよいし、ソフトウェア的に実現されてもよい。たとえば、スカウトシステム1は、CPU、ROM、RAMおよび記憶装置などを備えていてもよい。ROMは、スカウトシステム1の各ブロックの機能を実現するプログラムを格納し、RAMは当該プログラムを展開する。CPUは、当該プログラムの命令を実行する。記憶装置は、当該プログラムおよび種々のデータを格納する。
【００６８】
本発明はまた、コンピュータを、選手が使用する選手端末13から、選手の基本的な個人情報に関連する基本データ、選手の日常生活に関連する日常生活データおよび選手が過去に出場した試合に関連する試合データからなる群より選択される少なくとも1つのデータを取得して選手データベース101に記憶させる選手データ取得手段と、スカウトが使用するスカウト端末14から所定の条件に合致する選手を検索するための検索要求を受け付けて、当該検索要求にしたがって選手データベース101に記憶されているデータから検索データを作成し、スカウト端末14に送信する検索データ作成手段として機能させるためのプログラムを提供する。
【００６９】
また、本発明は、上記プログラムにおいて、コンピュータを、選手データベース101に記憶されている選手のデータに基づいて選手を支援するための支援データを作成し、選手端末13に送信する支援データ作成手段としてさらに機能させるためのプログラムを提供する。
【００７０】
また、本発明は、上記プログラムにおいて、コンピュータを、選手データベース101に記憶されている複数のデータを統合した統合データを作成し、選手データベース101に記憶させる統合データ作成手段としてさらに機能させるためのプログラムを提供する。
【００７１】
また、本発明は、上記プログラムにおいて、コンピュータを、スカウト端末14から所定の選手に対するフィードバックを示すフィードバックデータを取得して選手データベース101に記憶させるフィードバックデータ取得手段としてさらに機能させるためのプログラムを提供する。
【００７２】
また、本発明は、上記プログラムにおいて、コンピュータを、ファン端末15から所定の選手についての閲覧要求を受け付けたときに、選手データベース101に記憶されている当該選手のデータから閲覧データを作成し、ファン端末15に送信する閲覧データ作成手段としてさらに機能させるためのプログラムを提供する。
【００７３】
また、本発明は、上述したプログラムが記録されたコンピュータ読み取り可能な記録媒体を提供する。記録媒体としては、たとえばハードディスク、CD-ROM等の各種ディスク、メモリカード等の公知の記録媒体が挙げられる。
【００７４】
本発明は上述した実施形態に限定されず、請求項に示した範囲で適宜変更した技術的手段を組み合わせて得られる実施形態についても本発明の技術的範囲に含まれる。
【産業上の利用可能性】
【００７５】
本発明は、各種スポーツのためのスカウトシステムとして好適に利用することができる。
【符号の説明】
【００７６】
１  スカウトシステム
１１  ネットワーク
１２  選手データ管理サーバ
１３  選手端末
１４  スカウト端末
１５  ファン端末
１０１  選手データベース
１０２  選手データ取得部（選手データ取得手段）
１０３  統合データ作成部（統合データ作成手段）
１０４  支援データ作成部（支援データ作成手段）
１０５  検索データ作成部（検索データ作成手段）
１０６  フィードバックデータ取得部（フィードバックデータ取得手段）
１０７  閲覧データ作成部（閲覧データ作成手段）
１０８  メッセージ取得部（メッセージ取得手段）
１１１、１２１、１３１  入力部
１１２、１２２、１３２  表示部
【図１】
2013182541.tif 000003
【図２】
2013182541.tif 000004
【図３】
2013182541.tif 000005
【図４】
2013182541.tif 000006
【図５】
2013182541.tif 000007
【図６】
2013182541.tif 000008
【図７】
2013182541.tif 000009